(57)【要約】【課題】  飲料自動販売機用の容器入り飲料取出部が高さを、より取出し易くしする飲料自動販売機を提供する。【解決手段】    飲料自動販売機の容器入り飲料の取出部の位置を上げる高さ調整架台であって、  上部架台部と下部架台部とを断面Ｌ字型の長尺材を用いて形成し、上部架台部の上面の４隅には、前記飲料自動販売機本体の底部の４隅に有るレベリングスクリュに代えて、該レベリングスクリュの位置に対応して固定ボルトを挿入する前面貫通孔と背面貫通孔とが設けられ、固定ボルトを下から前面貫通孔に挿入するに際して、固定ボルトを固定具で締められるように前面貫通孔を囲む外側は開口させた開口部を形成した飲料自動販売機用の取出部の高さ調整架台。【選択図】図２
2014209298.tif 000002
【特許請求の範囲】
【請求項１】
レベリングスクリュの位置が極めて外枠に近接した４隅の位置に設けられた飲料自動販売機において、
該飲料自動販売機の容器入り飲料の取出部の位置を上げる高さ調整架台であって、
前記飲料自動販売機の横断面矩形外周の形状と同形状の横断面矩形外周を有する上部架台部と下部架台部とを断面Ｌ字型の長尺材を用いて形成し、
前記上部架台部の上面の４隅には、前記飲料自動販売機本体の底部の４隅に有るレベリングスクリュに代えて、該レベリングスクリュの位置に対応して固定ボルトを挿入する前面貫通孔と背面貫通孔とが設けられ、
上下に配置した前記上部架台部と下部架台部とを連結部で連結し、該連結部のうち飲料自動販売機前面に面する両端部に用いる連結部は、前記前面貫通孔を内側から囲むように断面Ｌ字型の長尺材を上下方向に配置し、
前記固定ボルトを下から前記前面貫通孔に挿入するに際して、該固定ボルトを固定具で締められるように前記前面貫通孔を囲む外側は開口させた開口部を形成したことを特徴とする飲料自動販売機用の取出部の高さ調整架台。
【請求項２】
前記請求項１において、前記飲料自動販売機背面に面する両端部に用いる連結部は、断面Ｌ字型の長尺材の外面を前記横断面矩形外周と一致させ、
該連結部に近接した上部架台部の上面と該上面の裏面に設けたバルト係合台とに、前記固定ボルトを挿入する前記背面貫通孔を設け、前記固定ボルトを下から前記背面貫通孔に挿入するに際して、該ボルト係合台の上面の外側は開口させて開口部を形成して該固定ボルトを固定具で締められるようすることを特徴とする請求項１に記載の飲料自動販売機用の取出部の高さ調整架台。
【請求項３】
前記上部架台部には、リフトの爪が抜き差し可能な前後方向に貫通するリフト爪用溝を１対設けたことを特徴とする請求項１又は２に記載の飲料自動販売機用の取出部の高さ調整架台。
【発明の詳細な説明】
【技術分野】
【０００１】
本発明は、飲料自動販売機用の容器入り飲料取出部の高さを調整するための調整架台に関する。
【背景技術】
【０００２】
従来、飲料自動販売機には、例えば、特許文献１に開示されているように、底面の４隅に垂直なボルト状の支持脚(レベリングスクリュ)が下方に突出して設けられており、飲料自動販売機の設置では、一般的には、これらの支持脚を、それぞれ止め金、アンカーボルト等を介して設置基盤（コンクリート床面）に固定することにより、自動販売機の移動、転倒等を防止している。
ところで、従来の飲料自動販売機用の容器入り飲料取出部の高さ位置は下方か、中段でも供給機構の制約から、高い位置に設けられいない。
【先行技術文献】
【特許文献】
【０００３】
【特許文献１】特開平６−１５２３３４号公報
【発明の概要】
【発明が解決しようとする課題】
【０００４】
本発明の解決しようとする問題点は、従来の容器入り飲料取出部が高さが通常５０cm前後の中段に位置する飲料自動販売機用では、通常の成人では腰を折って容器入り飲料取出部を取り出さなければならず負担を強いていた。特に、中高年の利用者にとっては、結構、取り出さ行為が億劫ないなるものであり、飲料自動販売機の売り上げにも影響するものであった。
本発明は、このような容器入り飲料取出部が高さが通常５０cm前後の中段に位置する飲料自動販売機用において、容器入り飲料取出部の高さを飲料自動販売機用の底部に調整架台を用いて、全体として容器入り飲料取出部の高さを８０cm前後に位置するようにして、容器入り飲料をより取出し易くした飲料自動販売機を提供しようとするものである。
【課題を解決するための手段】
【０００５】
上記の課題を解決するために、請求項１の発明は、レベリングスクリュの位置が極めて外枠に近接した４隅の位置に設けられた飲料自動販売機において、該飲料自動販売機の容器入り飲料の取出部の位置を上げる高さ調整架台であって、前記飲料自動販売機の横断面矩形外周の形状と同形状の横断面矩形外周を有する上部架台部と下部架台部とを断面Ｌ字型の長尺材を用いて形成し、前記上部架台部の上面の４隅には、前記飲料自動販売機本体の底部の４隅に有るレベリングスクリュに代えて、該レベリングスクリュの位置に対応して固定ボルトを挿入する前面貫通孔と背面貫通孔とが設けられ、
上下に配置した前記上部架台部と下部架台部とを連結部で連結し、該連結部のうち飲料自動販売機前面に面する両端部に用いる連結部は、前記前面貫通孔を内側から囲むように断面Ｌ字型の長尺材を上下方向に配置し、 前記固定ボルトを下から前記前面貫通孔に挿入するに際して、該固定ボルトを固定具で締められるように前記前面貫通孔を囲む外側は開口させ開口部を形成したことを特徴とする飲料自動販売機用の取出部の高さ調整架台である。
請求項２の発明は、前記請求項１において、前記飲料自動販売機背面に面する両端部に用いる連結部は、断面Ｌ字型の長尺材の外面を前記横断面矩形外周と一致させ、該連結部に近接した上部架台部の上面と該上面の裏面に設けたバルト係合台とに、前記固定ボルトを挿入する前記背面貫通孔を設け、前記固定ボルトを下から前記背面貫通孔に挿入するに際して、該ボルト係合台の上面の外側は開口させて開口部を形成して該固定ボルトを固定具で締められるようすることを特徴とする請求項１に記載の飲料自動販売機用の取出部の高さ調整架台である。
請求項３の発明は、前記上部架台部には、リフトの爪が抜き差し可能な前後方向に貫通するリフト爪用溝を１対設けたことを特徴とする請求項１又は２に記載の飲料自動販売機用の取出部の高さ調整架台である。
【発明の効果】
【０００６】
請求項１の飲料自動販売機用の取出部の高さ調整架台の発明によれば、従来の容器入り飲料取出部が高さが通常５０cm前後の中段に位置する飲料自動販売機用において、容器入り飲料取出部の高さを飲料自動販売機用の底部に調整架台を用いて、全体として容器入り飲料取出部の高さを８０cm前後に位置するようにして、容器入り飲料をより取り出し易くすることができる。
また、調整架台の幅や奥行きの寸法が飲料自動販売機と同じであるので、違和感がなく、レベリングスクリュの位置が極めて飲料自動販売機の外枠に近接した４隅の位置に設けられ、特に、前面の両端に位置するレベリングスクリュの位置が極めて外枠側面に近接し、具体的には前面貫通孔及び背面貫通孔の中心軸との外枠側面との距離が１.５cm〜４cm程度しかなく、外枠前面との距離の２cmから４cm程度しかないが、前面貫通孔及び背面貫通孔の近傍では外側に向けて開口した開口部を形成しているので、固定ボルトの頭部をレンチで外側から回動でき飲料自動販売機本体と調整架台とを確実に固着することができる。
請求項２の飲料自動販売機用の取出部の高さ調整架台の発明によれば、請求項１の効果に加えて、背面の両端に位置するレベリングスクリュの位置が極めて外枠に近接し、具体的には外枠の側面との距離が２〜５cm程度しかないが、側面の外側に向けて開口して開口部を形成しているので、固定ボルトの頭部をレンチで外側から回動でき飲料自動販売機本体と調整架台とを確実に固着することができる。
請求項３の飲料自動販売機用の取出部の高さ調整架台の発明によれば、請求項１及び２の効果に加えて、飲料自動販売機用の取出部の高さ調整架台をハンドリフト等に据え付ける際に、上部架台部１に前後方向にリフトの爪Ｇが抜き差し可能で貫通するリフト爪用溝を平行に１対設けてあるので、リフトの爪Ｇを若干降下させれば飲料自動販売機Ａより挟まれることがなく、スムースに爪Ｇを引き抜くことができる
【図面の簡単な説明】
【０００７】
【図１】本発明の取出部の高さ調整架台を従来の飲料自動販売機に組み合わせた状態の斜視図、
【図２】本発明の実施例１の取出部の高さ調整架台の全体の斜視図、
【図３】図２の調整架台の底部からの斜視図、
【図４】図４(a)は図２の調整架台の前面からの正面図、図４(b)は調整架台の底部からの右側面図、
【図５】図４のＣ近傍の(5)−(5)線での断面図、
【図６】図５のＤ近傍の(6)−(6)線での断面図、
【図７】図７(a)は図３の前面貫通孔５の近傍の拡大斜視図、図７(b)は図７(a)のＥ近傍の(b)−(b)線での拡大斜視図である。
【図８】図３の背面貫通孔６の近傍の拡大斜視図、
【図９】本発明の実施例２の取出部の高さ調整架台の上部架台部から見た全体の斜視図である。
【発明を実施するための形態】
【０００８】
本発明の好適な飲料自動販売機用の取出部の高さ調整架台の実施例を図面に沿って説明する。
[実施例１]
本発明の飲料自動販売機用の取出部の高さ調整架台の実施例１は、図１に示されるように、容器入り飲料自動販売機Ａの高さ調整架台１であって、自動販売機本体Ａの下部の底部に本発明の有る程度の高さ有する調整架台１を、飲料自動販売機１底部のレベリングスクリュＡ２に代えて、後述するように４隅の固定ボルト９で両者を合体し、全体の容器入り飲料の取出部Ａ１の位置を上げて、飲料の取出部Ａ１からの容器入り飲料をより取出し易くしたものである。実際には、従来の容器入り飲料自動販売機Ａの本体での取出部Ａ１が床からの高さが通常Ｘ＝５０cmであったものを、高さがＹ＝２５cmから３５cmの高さ調整架台１を用いて、全体として取出部の高さをＺ＝７５cmから８５cmとして、成人が余り腰を折らなくても容器入り飲料の取出部Ａ１から容器入り飲料をより取出し易くしたものである。
【０００９】
以下、図２から図８に沿って、具体的に実施例１の飲料自動販売機用Ａの調整架台１を説明する。
図２は調整架台１全体の斜視図で、図３はその底部からの調整架台１全体の斜視図であるが、基礎部分は上段の上部架台部２と下段の下部架台部３と、これらを連結する垂直に配置する連結部４から構成され、これらの部材は基本的には強度のある断面Ｌ字型の長尺の鋼材を適宜切断し溶接して製作している。なお、下部架台部３は強度を増すため、前後左右の断面Ｌ字型の長尺材で補強梁部３２が設けられており、上部架台部２の中央部に断面Ｌ字型の長尺材で補強梁部２５が設けられている。
上部架台部２と下部架台部３の横断面矩形外周の形状は、飲料自動販売機Ａの横断面矩形外周と同形状として、調整架台１の幅や奥行きの寸法を飲料自動販売機Ａと同じにして、両者をほぼ同じ平面して調整架台１を使用する違和感を無くしている。
上部架台部２の上面２１の４隅には固定ボルト９を挿入する前面貫通孔５と背面貫通孔６とが設けるが、これらは飲料自動販売機Ａ本体の底部の４隅に本来存在した有るレベリングスクリュＡ２を、固定ボルト９代えて挿入し固定するもので、本来のレベリングスクリュＡ２の位置に対応して設けられている。
【００１０】
図３に示すように、上下に配置した上部架台部２と下部架台部３とを連結部４で連結するが、図２のＣ部分の拡大図である図７に示すように、この連結部４のうち飲料自動販売機１の外枠前面Ｆに面する両端部に用いる前面連結部４１は、前面貫通孔５を内側から囲むように断面Ｌ字型の長尺材を上下方向に配置し、前面貫通孔５を上部架台部２の上面２１と上面２１の裏面２２に溶接して設けたボルト係合台２３とに貫通して設け(図７(ｂ)参照)、ボルト係合台２３の上面２３１を平らにして固定ボルト９を下から前面貫通孔５に挿入するに際して、固定ボルト９をレンチＷＲ等の固定具を回動可能として固定ボルト９のボルト頭部９１を回動して締められるように前面貫通孔５を囲む外側は開口させている。
ここで、ボルト係合台２３を設けて、上部架台部２の位置を上面２１から離し(高くし)、更にボルト係合台２３の上面２３１を平らにしたのは、上部架台部２の端部に断面Ｌ字型の一辺が存在すると、前面貫通孔５の中心軸と上部架台部２の外枠側面Ｓとの距離が１.６cmから４cmと短い場合に、固定ボルト９のボルト頭部９１に対して上部架台部２の上記一辺が挿入を邪魔して、レンチＷＲ等で固定ボルト９を締めることができないからである。また、後述する背面貫通孔６に対応したボルト係合台２４も同様の理由で設けられている。
【００１１】
本実施例１でも、前面貫通孔５の中心軸と上部架台部２と外枠側面Ｓとの距離ｘ1(図７(b))は１.６cmと極めて短く(飲料自動販売機ＡとレベリングスクリュＡ２との距離も同じ)、また、前面貫通孔５の中心軸と上部架台部２と外枠前面Ｆとの距離y1,y2は左右で飲料自動販売機Ａの開閉扉との関係で異なるが、図５に示すように、図面７での右側の距離y1は３.１cmであり、左側の距離y2は２.２cmである。
なお、後述する背面貫通孔６の上部架台部２と外枠側面Ｓとの距離x2も１.６cmと極めて短い(飲料自動販売機ＡとレベリングスクリュＡ２との距離も同じ)。尤も、背面貫通孔６の中心軸と上部架台部２と外枠背面Ｂとの距離ｚは機構上余裕があるので１１.７cmである。
【００１２】
この構成を図４、図５、図７(a)(b)で更に詳しく説明すると、図４(a)の前面図、図４(ｂ)の側面図、図５の図４(5)−(5)線の断面図、図７(a)の斜視図、図７(b)のＥ部の(b)-(b)線での部分拡大断面図に示すように、調整架台１の内側に前面連結部４１の長尺材の断面Ｌ字型の頂部４１１(図５参照)が位置するようにし、前面貫通孔５の調整架台１の前面には開口部２４２、側面には開口部２４３の２方向に形成され、レンチＷＲの作業を可能としている。
【００１３】
図１及び図２での飲料自動販売機Ａの外枠背面Ｂに面する両端部に用いる背面連結部４２は、断面Ｌ字型の長尺材の頂部４２１及び外面を上部架台部２及び下部架台部３の横断面矩形外周と一致させ、図６の図５(6)−(6)線の断面図及び図２のＤ部分の拡大図である図８に示すように、背面連結部４２に近接した上部架台部２の上面２１と上面２１の裏面２２に溶接して設けたボルト係合台２４とに、固定ボルト９を挿入する背面貫通孔６を設け、固定ボルト９を下から背面貫通孔６に挿入するに際して、ボルト係合台２４の上面２４１の外側面は開口させて開口部４２４を形成し、固定ボルト９をレンチＷＲ等の固定具でボルト頭部９１を回動可能として固定ボルト９が締められるようにしている。
また、図３、図７、図８に示すように、下部架台部３の底面３１の４隅の適所には、レンチ等でレベリングスクリュ７の床に接地する端部の六角頭部７１を回動することで高さや水平を調整するレベリングスクリュ７を配置している。
これらの調整が終了した後には、図１及び図２に調整架台１の外枠前面Ｆ及び外枠側面Ｓには化粧板８をネジ、面ファスナー、両面接着剤等の固着手段で取り付け、図１に示すように飲料自動販売機Ａとの違和感を無くしている。
【００１４】
[実施例２]
次に、実施例２の飲料自動販売機用のについて説明する。本発明の実施例１の飲料自動販売機用の取出部の高さ調整架台を据え付けるには、先ず、調整架台１を所定位置に設置し、次に、ハンドリフトやフォークリフトでの飲料自動販売機本体を持ち上げて調整架台１に積載するが、実施例１の調整架台１では、積載後にリフトの１対の爪Ｇが抜けなくなることがある。
実施例２は、図９に示すように、上部架台部２の上面２１に、リフトの１対の爪を抜き差しするためのリフト爪用溝２６を設けたもので、このリフト爪用溝２６が実施例１とは異なり、他の構成は同じであるので、実施例１と同じ構成の説明は省略する。
実施例２の上部架台部２には、前後方向にリフトの爪Ｇが抜き差し可能で前後方向に貫通する切り欠いたリフト爪用溝を平行に１対設けてある。この構成により飲料自動販売機Ａをハンドリフト等のリフトの爪Ｇに載せて持ち上げ、上部架台部１に積載した後に、リフトの爪Ｇを若干降下させれば飲料自動販売機Ａより挟まれることがなく、スムースに爪Ｇを引き抜くことができる。
なお、実施例１と同様に、調整架台１の周りの化粧板８は上部架台部２に飲料自動販売機Ａをセットした後に取り付ければよい。
【００１５】
以上説明したように、本発明の実施例１及び２によれば、従来の飲料自動販売機Ａ１用において、容器入り飲料取出部Ａ１が高さが通常５０cm前後の中段に位置する場合に、容器入り飲料取出部Ａ１の高さを飲料自動販売機Ａ用の底部に調整架台１を用いて、全体として容器入り飲料取出部Ａ１の高さを８０cm前後に位置するようにして、容器入り飲料をより取出し易くすることができる。
また、調整架台１の幅や奥行きの寸法が飲料自動販売機Ａと同じであるので、違和感がなく、レベリングスクリュＡ２の位置が極めて飲料自動販売機Ａの外枠に近接した４隅の位置に設けられ、特に、飲料自動販売機Ａの底部はい配置されたレベリングスクリュＡ２の位置は通常極めて外枠側面Ｓに近接しており、具体的には１.５cm〜４cm程度の距離しかなく、したがって、レベリングスクリュＡ２に対応する調整架台１の前面貫通孔５及び背面貫通孔６の中心軸と外枠側面Ｓとの距離も１.５cm〜４cm程度にしなければならない。本実施例でのこの距離ｘ１,x2は１.６cmである。
【００１６】
また、上部架台部２の外枠前面Ｆと前面貫通孔５及び背面貫通孔６との中心軸との距離y1,y2も１.５cm〜４cm程度の距離しかなく、本実施例でのこの距離y1は３.１cmであり、距離y2も２.２cmと極めて短い。
本発明の実施例では、、前面貫通孔５及び背面貫通孔６の近傍に、上部架台部２の外枠外側に向けて開口する開口部２４２,４２３を設けているので、固定ボルト９の頭部９１をレンチＷＲで外側から回動でき飲料自動販売機Ａ本体と調整架台１とを確実に固着することができ、また、背面の両端に位置するレベリングスクリュ７の位置が極めて外枠に近接し、具体的には外枠の側面との距離が２〜５cm程度しかないが、側面の外側に向けて開口して開口部を形成しているので、固定ボルト９の頭部９１をレンチＷＲで外側から回動でき飲料自動販売機Ａ本体と調整架台１とを確実に固着することができる。
また、実施例２によれば、飲料自動販売機用の取出部の高さ調整架台をハンドリフト等に据え付ける際に、上部架台部２に前後方向にリフトの爪Ｇが抜き差し可能で前後方向に貫通するリフト爪用溝を平行に１対設けてあるので、リフトの爪Ｇを引き抜く際には、リフトの爪Ｇを若干降下させれば飲料自動販売機Ａより挟まれることがなく、スムースに爪Ｇを引き抜くことができる。
【００１７】
なお、本発明の特徴を損なうものでなければ、上記の実施例に限定されるものでないことは勿論である。
【符号の説明】
【００１８】
Ａ・・飲料自動販売機、Ａ１・・容器入り飲料の取出部、
Ａ２・・レベリングスクリュ、
Ｆ・・飲料自動販売機及び調整架台１の外枠前面、
Ｂ・・飲料自動販売機及び調整架台１の外枠背面、
Ｓ・・飲料自動販売機及び調整架台１の外枠前面
Ｃ・・前面貫通孔近傍の拡大箇所、
Ｄ・・背面貫通孔近傍の拡大箇所、Ｅ・・拡大箇所、
Ｇ・・リフトの爪、
ＷＲ・・固定具（レンチ)  
x1・・前面貫通孔の中心軸と上部架台部の外枠側面との距離、
x2・・背面貫通孔の中心軸と上部架台部の外枠側面との距離、
y1,y2・・前面貫通孔の中心軸と上部架台部の外枠前面との距離、
ｚ・・背面貫通孔の中心軸と上部架台部の外枠背面との距離
１・・調整架台、
２・・上部架台部、２１・・上面、２２・・裏面、
２３・・ボルト係合台、２３１・・上面、
２４・・ボルト係合台、２４１・・上面、
２４２，２４３，２４４・・開口部、
２５・・補強梁部、
２６・・リフト爪用溝、
３・・下部架台部、３１・・底面、  ３２・・補強梁部、
４・・連結部、４１・・前面連結部、４１１・・頂部、
４２・・背面連結部、４２１・・頂部、
５・・前面貫通孔、
６・・背面貫通孔、
７・・レベリングスクリュ、７１・・六角頭部、
８・・化粧板、
９・・固定ボルト、９１・・ボルト頭部、
【図２】
2014209298.tif 000003
【図３】
2014209298.tif 000004
【図４】
2014209298.tif 000005
【図５】
2014209298.tif 000006
【図６】
2014209298.tif 000007
【図７】
2014209298.tif 000008
【図８】
2014209298.tif 000009
【図９】
2014209298.tif 000010
【図１】
2014209298.tif 000011